(57)【特許請求の範囲】
【請求項１】
基板と、
前記基板上に形成される表示部と、
前記表示部と対向するように配されるタッチパネルと、を備え、
前記タッチパネルは、密封基板、前記密封基板の一面に形成される第１電極、前記第１電極と離隔した第２電極、および前記第１電極と前記第２電極との間に介される有機物を含む受光部、
を備え、
前記受光部が、銅（Ｃｕ）、鉄（Ｆｅ）、ニッケル（Ｎｉ）、コバルト（Ｃｏ）、マンガン（Ｍｎ）、アルミニウム（Ａｌ）、パラジウム（Ｐｄ）、スズ（Ｓｎ）、インジウム（Ｉｎ）、鉛（Ｐｂ）、チタン（Ｔｉ）、ルビジウム（Ｒｂ）、バナジウム（Ｖ）、ガリウム（Ｇａ）、テルビウム（Ｔｂ）、セリウム（Ｃｅ）、ランタン（Ｌａ）および亜鉛（Ｚｎ）からなる群から選択される一つ以上の金属を含むフタロシアニン化合物を含み、
前記金属は、所望の帯域の波長を検出するように選択され、
前記受光部は、前記第１電極と前記第２電極とが交差する領域に対応するように配され、当該第１および第２電極が交差する領域よりも大きく形成されるタッチスクリーンディスプレイ装置。
【請求項２】
前記受光部が、前記フタロシアニン化合物を含む層とＣ６０を含む層とを含む２層で構成される２層構造、あるいは前記フタロシアニン化合物とＣ６０とが混合された混合層を備えることを特徴とする請求項１に記載のタッチスクリーンディスプレイ装置。
【請求項３】
前記第１電極および前記第２電極が長く延びたストライプ形態を有し、前記第１電極の延長方向と前記第２電極の延長方向とが交差する、請求項１または２に記載のタッチスクリーンディスプレイ装置。
【請求項４】
前記表示部が発光部および非発光部を備え、
前記第１電極、前記第２電極および前記受光部が、前記非発光部の領域に対応するように形成される、請求項１〜３のいずれか１項に記載のタッチスクリーンディスプレイ装置。
【請求項５】
前記第１電極および前記第２電極のうち、外光に近い側に配される電極が、入射する外光を透過するように透過型電極で形成される、請求項１〜４のいずれか１項に記載のタッチスクリーンディスプレイ装置。
【請求項６】
前記第１電極および前記第２電極のうち、外光に近い側に配される電極が、ＩＴＯ、ＩＺＯ、ＺｎＯ、ＡＺＯおよびＩｎ２Ｏ３からなる群から選択されるいずれか一つを含む、請求項１〜５のいずれか１項に記載のタッチスクリーンディスプレイ装置。
【請求項７】
前記第１電極および前記第２電極のうち、外光に遠い側に配される電極が金属を含む、請求項１〜６のいずれか１項に記載のタッチスクリーンディスプレイ装置。
【請求項８】
前記第１電極が、前記密封基板の表示部に向かい合う面に形成される、請求項１〜７のいずれか１項に記載のタッチスクリーンディスプレイ装置。
【請求項９】
前記第１電極が、前記密封基板の表示部に向かい合う面の反対面に形成される、請求項１〜７のいずれか１項に記載のタッチスクリーンディスプレイ装置。
【請求項１０】
前記表示部が有機発光素子を備える、請求項１〜９のいずれか１項に記載のタッチスクリーンディスプレイ装置。
【発明の詳細な説明】
【技術分野】
【０００１】
本発明は、タッチスクリーンディスプレイ装置に係り、さらに詳細にはユーザーの接触を容易に感知するタッチスクリーンディスプレイ装置に関する。
【背景技術】
【０００２】
最近のディスプレイ装置は、タッチパネル機能を適用する場合が多い。タッチパネル機能を適用すれば、ディスプレイ機能のみ行ったディスプレイ装置のパネル表面にユーザーの指やペンなどを接触させて入力装置の機能も行えるようになる。
【０００３】
タッチパネルは、ユーザーの接触を感知する部材の位置を基準に外装庄型方式と内蔵型方式とに大別できる。
【０００４】
外装型方式のタッチパネルは、接触による圧力の変化を感知する圧力方式、接触によって変化した電界を感知する電界方式、および接触によって変化した抵抗を感知する抵抗膜方式などがある。内蔵型方式のタッチパネルは、ＡＢＣ（Ａｕｔｏ  Ｂｒｉｇｈｔｎｅｓｓ  Ｃｏｎｔｒｏｌ）、Ｐ−Ｉ−Ｎフォトダイオード（ｊｕｎｃｔｉｏｎ）を利用する方法などがある。
【０００５】
外装型方式の場合、ディスプレイ装置と別途にパネルを備えるので、タッチスクリーンディスプレイ装置の全体的な厚さが増大し、製造工程が難しい。
【０００６】
内蔵型方式の場合、使われる素材が限定され、かつ外光感知特性が低くて所望の性能を持つタッチスクリーンディスプレイ装置を具現するのに限界がある。
【発明の概要】
【発明が解決しようとする課題】
【０００７】
本発明は、ユーザーの接触を容易に感知するタッチスクリーンディスプレイ装置を提供することを目的とする。
【課題を解決するための手段】
【０００８】
本発明は、基板と、前記基板上に形成される表示部と、前記表示部と対向するように配されるタッチパネルと、を備え、前記タッチパネルは、密封基板、前記密封基板の一面に形成される第１電極、前記第１電極と離隔した第２電極、および前記第１電極と前記第２電極との間に介される有機物を含む受光部を備えるタッチスクリーンディスプレイ装置を開発する。
【０００９】
本発明において、前記受光部は、銅（Ｃｕ）、鉄（Ｆｅ）、ニッケル（Ｎｉ）、コバルト（Ｃｏ）、マンガン（Ｍｎ）、アルミニウム（Ａｌ）、パラジウム（Ｐｄ）、スズ（Ｓｎ）、インジウム（Ｉｎ）、鉛（Ｐｂ）、チタン（Ｔｉ）、ルビジウム（Ｒｂ）、バナジウム（Ｖ）、ガリウム（Ｇａ）、テルビウム（Ｔｂ）、セリウム（Ｃｅ）、ランタン（Ｌａ）および亜鉛（Ｚｎ）からなる群から選択された一つ以上の金属を含むフタロシアニン化合物を含む。
【００１０】
本発明において、前記受光部は、銅（Ｃｕ）、鉄（Ｆｅ）、ニッケル（Ｎｉ）、コバルト（Ｃｏ）、マンガン（Ｍｎ）、アルミニウム（Ａｌ）、パラジウム（Ｐｄ）、スズ（Ｓｎ）、インジウム（Ｉｎ）、鉛（Ｐｂ）、チタン（Ｔｉ）、ルビジウム（Ｒｂ）、バナジウム（Ｖ）、ガリウム（Ｇａ）、テルビウム（Ｔｂ）、セリウム（Ｃｅ）、ランタン（Ｌａ）および亜鉛（Ｚｎ）からなる群から選択された一つ以上の金属を含むフタロシアニン化合物を含む層と、Ｃ６０とを含む層を含む２層構造である。
【００１１】
本発明において、前記受光部は、銅（Ｃｕ）、鉄（Ｆｅ）、ニッケル（Ｎｉ）、コバルト（Ｃｏ）、マンガン（Ｍｎ）、アルミニウム（Ａｌ）、パラジウム（Ｐｄ）、スズ（Ｓｎ）、インジウム（Ｉｎ）、鉛（Ｐｂ）、チタン（Ｔｉ）、ルビジウム（Ｒｂ）、バナジウム（Ｖ）、ガリウム（Ｇａ）、テルビウム（Ｔｂ）、セリウム（Ｃｅ）、ランタン（Ｌａ）および亜鉛（Ｚｎ）からなる群から選択された一つ以上の金属を含むフタロシアニン化合物と、Ｃ６０と、が混合された混合層を備える。
【００１２】
本発明において、前記第１電極と前記第２電極とは長く延びたストライプ形態を有し、前記第１電極の延長方向と前記第２電極の延長方向とは交差する。
【００１３】
本発明において、前記受光部は、前記第１電極と前記第２電極とが交差する領域に対応するように配される。
【００１４】
本発明において、前記表示部は発光部および非発光部を備え、前記第１電極、前記第２電極および前記受光部は、前記非発光部に対応するように形成される。
【００１５】
本発明において、前記第１電極および前記第２電極のうち、外光に近い側に配される電極は、入射する外光を透過するように透過型電極で形成される。
【００１６】
本発明において、前記第１電極および前記第２電極のうち、外光に近い側に配される電極は、ＩＴＯ、ＩＺＯ、ＺｎＯ、ＡＺＯおよびＩｎ２Ｏ３からなる群から選択されたいずれか一つを含む。
【００１７】
本発明において、前記第１電極および前記第２電極のうち、外光に遠い側に配される電極は、金属を含む。
【００１８】
本発明において、前記第１電極は、前記密封基板の表示部に向かい合う面に形成される。
【００１９】
本発明において、前記第１電極は、前記密封基板の表示部に向かい合う面の反対面に形成される。
【００２０】
本発明において、前記表示部は、有機発光素子を備える。
【発明の効果】
【００２１】
本発明に関するタッチスクリーンディスプレイ装置は、ユーザーの接触を容易に感知できる。
【００２２】
また本発明に関するタッチスクリーンディスプレイ装置は、ディスプレイ装置の密封基板上に受光部を形成するので、タッチ機能のための別途のパネルを必要とせずに薄膜で具現され、工程の効率性を向上させる。
【００２３】
また本発明に関するタッチスクリーンディスプレイ装置は、交差して形成された第１電極と第２電極とを利用するため、接触感知のための別途の内蔵回路を必要としない。
【図面の簡単な説明】
【００２４】
【図１】本発明の一実施形態に関するタッチスクリーンディスプレイ装置を示した概略的な断面図である。
【図２】図１のタッチスクリーンディスプレイ装置の一部であるタッチパネルを概略的に示した断面図である。
【図３】図２のタッチパネルをＸ方向から見た概略平面図である。
【図４】図１のタッチスクリーンディスプレイ装置の一部である表示部を概略的に示した断面図である。
【図５】図４の表示部をＹ方向から見た概略平面図である。
【図６】第１電極、第２電極および受光部と表示部の対応位置を説明するための概略的な平面図である。
【図７】図１のタッチスクリーンディスプレイ装置の一部である表示部の具体的な例を概略的に示した断面図である。
【図８】図１の表示部の具体的な例を概略的に示した断面図である。
【図９】図１の表示部の具体的な例を概略的に示した断面図である。
【図１０】本発明の他の実施形態に関するタッチスクリーンディスプレイ装置を示した概略的な断面図である。
【図１１】図１０のタッチスクリーンディスプレイ装置の一部であるタッチパネルを概略的に示した断面図である。
【発明を実施するための形態】
【００２５】
以下、添付した図面に図示された本発明に関する実施形態を参照して本発明の構成および作用を詳細に説明する。
【００２６】
図１は、本発明の一実施形態に関するタッチスクリーンディスプレイ装置を示した概略的な断面図である。
【００２７】
図１を参照すれば、本実施形態のタッチスクリーンディスプレイ装置１０００は、基板１００、表示部２００およびタッチパネル３００を備える。
【００２８】
基板１００は、ＳｉＯ２を主成分とする透明なガラス材質からなりうる。基板１００は必ずしもこれに限定されるものではなく、透明なプラスチック材質で形成されてもよい。この時、基板１００を形成するプラスチック材質は、絶縁性有機物であるポリエーテルスルホン（ＰＥＳ）、ポリアクリレート（ＰＡＲ）、ポリエーテルイミド（ＰＥＩ）、ポリエチレンナフタレート（ＰＥＮ）、ポリエチレンテレフタレート（ＰＥＴ）、ポリフェニレンスルフィド（ＰＰＳ）、ポリアリレート、ポリイミド、ポリカーボネート（ＰＣ）、セルローストリアセテート（ＴＡＣ）、セルロースアセテートプロピオネート（ＣＡＰ）からなるグループから選択される有機物でありうる。
【００２９】
一方、金属で基板１００を形成できるが、金属で基板１００を形成する場合、基板１００は、鉄、クロム、マンガン、ニッケル、チタン、モリブデン、ステンレススチール（ＳＵＳ）、インバー合金、インコネル合金およびコバール合金からなる群から選択された一つ以上を含むことができ、また炭素によっても基板形式が可能である。基板１００は、金属フォイルで形成されてもよい。
【００３０】
基板１００上に表示部２００が形成される。表示部２００は可視光線を具現できるように形成されるが、有機発光素子、液晶素子、電子放出素子など多様な形態の素子を使用できる。
【００３１】
表示部２００上にはタッチパネル３００が形成される。タッチパネル３００は、ユーザーの接触を通じて入力装置として使われると同時に、表示部２００を密封する役割を兼ねる。基板１００とタッチパネル３００とは、シーラント１５０によって接合される。シーラント１５０を形成するためにガラスフリットを使用できる。その他にシーラント１５０の材料には、有機物、無機物、有機物と無機物の混合物などが使われうる。
【００３２】
図２は、図１のタッチスクリーンディスプレイ装置の一部であるタッチパネルを概略的に示した拡大断面図であり、図３は、図２のＸ方向から見た概略平面図である。
【００３３】
図２および図３を参照すれば、タッチパネル３００は密封基板３０１、第１電極３１０、第２電極３２０および受光部３３０を備える。
【００３４】
密封基板３０１は、基板１００の一面に対向するように配される。密封基板３０１は、外部の水分や酸素から表示部２００を保護することができ、透明な材質で形成される。このために密封基板３０１は、ガラス、プラスチックまたは有機物と無機物との複数の重畳した構造を利用して形成されうる。
【００３５】
密封基板３０１の両面のうち、表示部２００に向かい合う面に第１電極３１０、受光部３３０および第２電極３２０が順に形成される。第１電極３１０と第２電極３２０のうち、外光に近い側に配される電極は、外光を透過するように透過型電極で形成される。これを通じて外光は受光部３３０に容易に入射できる。
【００３６】
第１電極３１０は、密封基板３０１の一面に長く延びたストライプ形態に形成される。第１電極３１０は、外光を透過できる透過型電極で形成される。このために、第１電極３１０は、ＩＴＯ（Ｉｎｄｉｕｍ  Ｔｉｎ  Ｏｘｉｄｅ）、ＩＺＯ（Ｉｎｄｉｕｍ  Ｚｉｎｃ  Ｏｘｉｄｅ）、ＺｎＯ（Ｚｉｎｃ  Ｏｘｉｄｅ）、ＡＺＯ（Ａｌ−ｄｏｐｅｄ  Ｚｉｎｃ  Ｏｘｉｄｅ）およびＩｎ２Ｏ３からなる群から選択されたいずれか一つを含むことができる。
【００３７】
第２電極３２０は、長く延びたストライプ形態を有して第１電極３１０と離隔されて配される。第２電極３２０は金属を含むことができ、例えば、アルミニウム（Ａｌ）を含有できる。第２電極３２０は第１電極３１０と交差するように配される。
【００３８】
受光部３３０は、第１電極３１０と第２電極３２０との間に配される。具体的に受光部３３０は、第１電極３１０と第２電極３２０とが交差する領域に配される。第１電極３１０と第２電極３２０とを通じて受光部３３０に電源が印加される。
【００３９】
受光部３３０は外光を感知するように有機物を含むが、具体的に受光部３３０は、銅（Ｃｕ）、鉄（Ｆｅ）、ニッケル（Ｎｉ）、コバルト（Ｃｏ）、マンガン（Ｍｎ）、アルミニウム（Ａｌ）、パラジウム（Ｐｄ）、スズ（Ｓｎ）、インジウム（Ｉｎ）、鉛（Ｐｂ）、チタン（Ｔｉ）、ルビジウム（Ｒｂ）、バナジウム（Ｖ）、ガリウム（Ｇａ）、テルビウム（Ｔｂ）、セリウム（Ｃｅ）、ランタン（Ｌａ）および亜鉛（Ｚｎ）からなる群から選択される一つ以上の金属を含むフタロシアニン化合物を含む。
【００４０】
また受光部３３０は、銅（Ｃｕ）、鉄（Ｆｅ）、ニッケル（Ｎｉ）、コバルト（Ｃｏ）、マンガン（Ｍｎ）、アルミニウム（Ａｌ）、パラジウム（Ｐｄ）、スズ（Ｓｎ）、インジウム（Ｉｎ）、鉛（Ｐｂ）、チタン（Ｔｉ）、ルビジウム（Ｒｂ）、バナジウム（Ｖ）、ガリウム（Ｇａ）、テルビウム（Ｔｂ）、セリウム（Ｃｅ）、ランタン（Ｌａ）および亜鉛（Ｚｎ）からなる群から選択される一つ以上の金属を含むフタロシアニン化合物と、Ｃ６０とを含む層を含む２層で構成され、フタロシアニン化合物およびＣ６０が混合された一層の混合層で形成されてもよい。
【００４１】
第１電極３１０、第２電極３２０、受光部３３０は、外光を感知する光センサーの役割を行う。第１電極３１０、第２電極３２０および受光部３３０を備えるタッチパネル３００は、ユーザーの接触時、接触によって変化する外光の入射量を感知してユーザーの接触を感知する。
【００４２】
特に受光部３３０は、フタロシアニン化合物に含まれる金属成分の選択を制御することによって、入射された外光の検出帯域を決定できる。例えば、銅（Ｃｕ）を含むフタロシアニン化合物の場合、約６００〜８００ｎｍ帯域の可視光線を吸収し、スズ（Ｓｎ）を含むフタロシアニン化合物の場合、約８００〜１０００ｎｍ帯域の近赤外線を吸収する。したがって、受光部３３０のフタロシアニン化合物に含まれる金属を選択することによって、ユーザーが所望の帯域の波長を検出できる光センサーを具現できる。
【００４３】
図４は、図１のタッチスクリーンディスプレイ装置の一部である表示部を概略的に示した断面図であり、図５は、図４のＹから見た概略平面図である。
【００４４】
図５を参照すれば、表示部２００は、発光部２１０と非発光部２２０とを備える。発光部２１０は可視光線を発生させる領域であり、非発光部２２０はそうでない領域である。例えば、それぞれの発光部２１０はサブピクセルであり、非発光部２２０は各サブピクセル間の離隔した空間でありうる。
【００４５】
図６は、第１電極３１０、第２電極３２０および受光部３３０と表示部２００との相互位置関係を説明するための平面図である。図６は、密封基板３０１方向から見た平面図に該当するが、説明の便宜のために基板１００および密封基板３０１は図示していない。
【００４６】
図６を参照すれば、第１電極３１０、第２電極３２０および受光部３３０は、非発光部２２０に対応するように配される。これを通じて表示部２００で発生する可視光線の透過率を向上させる。図６には、各発光部２１０の側面に、第１電極３１０および第２電極３２０が形成されているように図示されているが、本発明はこれに限定されるものではない。すなわち、受光部３３０の数を低減させるように、数個の発光部２１０毎に第１電極３１０および第２電極３２０が形成されうる。
【００４７】
本実施形態のタッチスクリーンディスプレイ装置１０００は、多様な形態の表示部２００を備えることができるが、その例として有機発光素子を備えた表示部２００を備えることができる。
【００４８】
図７は、有機発光素子を備える表示部を概略的に示した断面図である。図７を参照すれば、基板１００上に有機発光素子２０５が形成される。有機発光素子２０５は、アノード電極２０１、カソード電極２０２および中間層２０３を備える。アノード電極２０１とカソード電極２０２の位置は互いに入れ替わりうる。
【００４９】
’  中間層２０３は有機発光層を備え、アノード電極２０１とカソード電極２０２とから電圧が印加されれば、有機発光層が可視光線を発光する。中間層２０３の有機発光層が低分子有機物で形成される場合、有機発光層を中心にアノード電極２０１の方向にホール輸送層（Ｈｏｌｅ  Ｔｒａｎｓｐｏｒｔ  Ｌａｙｅｒ：ＨＴＬ）およびホール注入層（Ｈｏｌｅ  Ｉｎｊｅｃｔｉｏｎ  Ｌａｙｅｒ：ＨＩＬ）などが積層され、カソード電極２０３方向に電子輸送層（Ｅｌｅｃｔｒｏｎ  Ｔｒａｎｓｐｏｒｔ  Ｌａｙｅｒ：ＥＴＬ）および電子注入層（Ｅｌｅｃｔｒｏｎ  Ｉｎｊｅｃｔｉｏｎ  Ｌａｙｅｒ：ＥＩＬ）などが積層されるように形成される。それ以外にも必要に応じて多様な層が積層されうる。中間層２０３は、銅フタロシアニン（ＣｕＰｃ）、Ｎ，Ｎ−ジ（ナフタレン−１−イル）−Ｎ，Ｎ’−ジフェニル−ベンジジン（ＮＰＢ）、トリス−８−ヒドロキシキノリンアルミニウム（Ａｌｑ３）などを含むことができる。
【００５０】
一方、中間層２０３の有機発光層が高分子有機物で形成される場合には、有機発光層を中心にアノード電極２０１の方向にホール輸送層（ＨＴＬ）のみ含まれうる。ホール輸送層は、ポリエチレンジヒドロキシチオフェン（ＰＥＤＯＴ）や、ポリアニリン（ＰＡＮＩ）などを使用して、インクジェットプリンティングやスピンコーティングの方法によりアノード電極２０１の上部に形成され、有機発光層は、ポリフェニレンビニレン（ＰＰＶ）、可溶性ＰＰＶ、シアノＰＰＶ、ポリフルオレンなどを使用でき、インクジェットプリンティングやスピンコーティングまたはレーザーを利用した熱転写方式などの通常の方法でカラーパターンを形成できる。
【００５１】
一方、有機発光素子を備える表示部２００は、具体的に受動駆動型（ＰＭ  ｔｙｐｅ：Ｐａｓｓｉｖｅ  Ｍａｔｒｉｘ  ｔｙｐｅ）有機発光素子と能動駆動型（ＡＭ  ｔｙｐｅ：Ａｃｔｉｖｅ  Ｍａｔｒｉｘ  ｔｙｐｅ）有機発光素子とを備えることができる。
【００５２】
図８は、受動駆動型有機発光素子を備える表示部を説明するための概略的に示した断面図である。
【００５３】
図８を参照すれば、基板１００上に有機発光素子２１５が形成される。具体的に、基板１００上に、アノード電極２１１が所定のストライプ形態で形成されており、このアノード電極２１１上に、これを区画するように内部絶縁膜２１６が形成されている。そして、内部絶縁膜２１６上には、中間層２１３およびカソード電極２１２のパターニングのために、アノード電極２１１に直交するように形成されたセパレータ２１７が形成されている。このセパレータ２１７により、中間層２１３およびカソード電極２１２は、アノード電極２１１に交差するようにパターニングされる。場合によって、セパレータ２１７なしに中間層２１３およびカソード電極２１２をパターニングすることもできる。アノード電極２１１とカソード電極２１２との配置位置は互いに入れ替わりうる。
【００５４】
図９は、能動駆動型有機発光素子を備える表示部を説明するための概略的に示した断面図である。図９は、説明の便宜のために表示部２００の１個の副画素のみを図示している。
【００５５】
図９を参照すれば、基板１００の上部に平滑な面を形成し、基板１００の上部に不純元素が浸透することを遮断するために、基板１００の上部にバッファ層２２１を形成する。バッファ層２２１は、ＳｉＯ２および／またはＳｉＮｘなどで形成できる。
【００５６】
バッファ層２２１上には薄膜トランジスタ（ＴＦＴ：Ｔｈｉｎ  Ｆｉｌｍ  Ｔｒａｎｓｉｓｔｏｒ）が形成される。このＴＦＴは、各副画素別に少なくとも一つずつ形成されるが、このうち一つは、有機発光素子２３５に電気的に連結されて駆動回路部の役割を行う。
【００５７】
具体的に、バッファ層２２１上に所定パターンの活性層２２２が形成される。活性層２２２は、アモルファスシリコンまたはポリシリコンなどの無機半導体や有機半導体で形成され、ソース領域、ドレイン領域およびチャンネル領域を備える。
【００５８】
ソースおよびドレイン領域は、アモルファスシリコンまたはポリシリコンで形成した活性層２２２に不純物をドーピングして形成できる。３族元素であるホウ素（Ｂ）などでドーピングすればｐタイプ、５族元素である窒素（Ｎ）などでドーピングすればｎタイプ半導体が形成できる。
【００５９】
活性層２２２の上部にはゲート絶縁膜２２３が形成され、ゲート絶縁膜２２３の上部の所定領域にはゲート電極２２４が形成される。ゲート絶縁膜２２３は、活性層２２２とゲート電極２２４とを絶縁するためのものであって、有機物またはＳｉＮｘ、ＳｉＯ２などの無機物で形成できる。
【００６０】
ゲート電極２２４は、Ａｕ、Ａｇ、Ｃｕ、Ｎｉ、Ｐｔ、Ｐｄ、Ａｌ、Ｍｏ、またはＡｌ：Ｎｄ、Ｍｏ：Ｗ合金などの金属または金属の合金で形成されうるが、これに限定されず、隣接層との密着性、積層される層の平坦性、電気抵抗および加工性などを考慮して多様な材料を使用できる。ゲート電極２２４は、ＴＦＴオン／オフ信号を印加するゲートライン（図示せず）と連結されている。
【００６１】
ゲート電極２２４の上部には、コンタクトホールを備える層間絶縁膜２２５が形成される。コンタクトホールを通じてソース電極２２６およびドレイン電極２２７が、それぞれ活性層２２２のソースおよびドレイン領域に接するように形成される。ソース電極２２６およびドレイン電極２２７をなす物質は、Ａｕ、Ｐｄ、Ｐｔ、Ｎｉ、Ｒｈ、Ｒｕ、Ｉｒ、Ｏｓ以外にも、Ａｌ、Ｍｏ；Ａｌ：Ｎｄ合金、ＭｏＷ合金などの２種以上の金属からなる合金を使用でき、これに限定されるものではない。
【００６２】
このように形成されたＴＦＴは、パッシベーション層２２８で覆われて保護される。パッシベーション層２２８は無機絶縁膜および／または有機絶縁膜を使用できるが、無機絶縁膜には、ＳｉＯ２、ＳｉＮｘ、ＳｉＯＮ、Ａｌ２Ｏ３、ＴｉＯ２、Ｔａ２Ｏ５、ＨｆＯ２、ＺｒＯ２、チタン酸バリウムストロンチウム（ＢＳＴ）、チタン酸ジルコン酸鉛（ＰＺＴ）などを含ませることができ、有機絶縁膜には、一般汎用高分子（ＰＭＭＡ（ｐｏｌｙ  ｍｅｔｈｙ  ｍｅｔｈａｃｒｙｌａｔｅ）、ＰＳ（ｐｏｌｙｓｔｙｒｅｎｅ））、フェノール基を持つ高分子誘導体、アクリル系高分子、イミド系高分子、アリールエーテル系高分子、アミド系高分子、フッ素系高分子、ｐ−キシレン系高分子、ビニルアルコール系高分子およびこれらのブレンドなどを含ませることができる。パッシベーション層２２８は、無機絶縁膜と有機絶縁膜との複合積層体でも形成されうる。
【００６３】
ドレイン電極２２７を露出させるようにパッシベーション層２２８にビアホールを形成し、有機発光素子２３５を形成する。有機発光素子２３５は、アノード電極２３１、中間層２３３およびカソード電極２３２を備える。ビアホールを通じて、アノード電極２３１は、ドレイン電極２２７と電気的に連結される。
【００６４】
次いで、アノード電極２３１を覆うように絶縁物で画素定義膜２２９を形成する。画素定義膜２２９に所定の開口を形成して、アノード電極２３１を露出させる。露出されたアノード電極２３１上に中間層２３３を形成する。そして、全体画素をいずれも覆うようにカソード電極２３２を形成する。
【００６５】
アノード電極２３１とカソード電極２３２との配置位置は互いに入れ替わりうる。
【００６６】
本実施形態のタッチスクリーンディスプレイ装置１０００は表面、すなわち、タッチパネル３００にユーザーの手などの物体が接近または接触する時、物体の接近または接触によって発生する受光部３３０の外光受光量の変化を感知する。そして、かかる変化量を感知して物体の接近または接触がある位置の座標および圧力を出力する。これを通じてユーザーの接触を容易に感知できる。
【００６７】
本実施形態のタッチスクリーンディスプレイ装置１０００は、表示部２００を封止する密封基板３０１を利用してタッチパネル３００を形成するので、薄膜のタッチスクリーンディスプレイ装置１０００を容易に具現できる。
【００６８】
本実施形態のタッチスクリーンディスプレイ装置１０００は、第１電極３１０と第２電極３２０とを交差するように形成して、接触を感知するための回路の構成を簡単に形成できる。
【００６９】
図１０は、本発明の他の実施形態に関するタッチスクリーンディスプレイ装置を示した概略的な断面図であり、図１１は、図１０のタッチスクリーンディスプレイ装置の一部であるタッチパネルを具体的に示した概略断面図である。説明の便宜のために前述した実施形態と異なる点を中心に説明する。
【００７０】
本実施形態のタッチスクリーンディスプレイ装置２０００は、基板２１００、表示部２２００およびタッチパネル２３００を備える。基板２１００とタッチパネル２３００とは、シーラント２１５０によって接合される。
【００７１】
タッチスクリーンディスプレイ装置２０００は、前述した実施形態と比較する時、タッチパネル２３００の構成が異なる。図１１を参照すれば、タッチパネル２３００は前述したタッチパネル３００と比較する時、第１電極２３１０が形成される位置が異なる。
【００７２】
第１電極２３１０は、密封基板２３０１の面のうち、表示部２２００に向かう面の反対面に形成される。密封基板２３０１の面のうち、表示部２２００に向かう面の反対面には、第１電極２３１０、受光部２３３０および第２電極２３２０が順に形成される。
【００７３】
第１電極２３１０は、長く延びたストライプ形態を持つ。第１電極２３１０は金属を含むことができるが、例えば、アルミニウム（Ａｌ）を含有できる。
【００７４】
第２電極２３２０は、外光が透過できる透過型電極で形成する。このために第２電極２３２０は、ＩＴＯ、ＩＺＯ、ＺｎＯ、ＡＺＯおよびＩｎ２Ｏ３からなる群から選択されたいずれか一つを含むことができる。第２電極２３２０は、第１電極２３１０と離隔して交差するように配される。
【００７５】
受光部２３３０は、第１電極２３１０と第２電極２３２０との間に配される。具体的に受光部２３３０は、第１電極２３１０と第２電極２３２０とが交差する領域に配される。受光部２３３０は、外光を感知するように有機物を含む。受光部２３３０の具体的な構成は、前述した実施形態と同一であるので、説明を省略する。
【００７６】
第２電極２３２０上に外光を透過する保護層（図示せず）を形成できる。保護層は、第１電極２３１０、第２電極２３２０および受光部２３３０を、ユーザーの接触による衝撃および外部の異物による汚染から保護する。
【００７７】
本発明は図面に図示された実施形態を参考に説明されたが、これは例示的なものに過ぎず、当業者ならば、これより多様な変形および均等な他の実施形態が可能であるという点を理解できるであろう。したがって、本発明の真の技術的保護範囲は、特許請求の範囲の技術的思想によって定められねばならない。
【００７８】
なお、本出願は、２００９年８月１１日に出願された大韓民国特許出願第１０−２００９−００７４００７号に基づいており、その開示内容は、参照により全体として引用されている。
【産業上の利用可能性】
【００７９】
本発明は、タッチスクリーンディスプレイ装置関連の技術分野に好適に用いられる。
【符号の説明】
【００８０】
１００、２１００    基板、
１５０、２１５０    シーラント、
２００、２２００    表示部、
２０１、２１１、２３１    アノード電極、
２０２、２１２、２３２    カソード電極、
２０３、２１３、２３３    中間層、
２０５、２１５、２３５    有機発光素子、
２１０    発光部、
２１６    内部絶縁膜、
２１７    セパレータ、
２２０    非発光部、
２２１    バッファ層、
２２２    活性層、
２２３    ゲート絶縁膜、
２２４    ゲート電極、
２２５    層間絶縁膜、
２２６    ソース電極、
２２７    ドレイン電極、
２２８    パッシベーション層、
２２９    画素定義膜、
３００、２３００    タッチパネル、
３０１、２３０１    密封基板、
３１０、２３１０    第１電極、
３２０、２３２０    第２電極、
３３０、２３３０    受光部、
１０００、２０００    タッチスクリーンディスプレイ装置。
【図１】
0005601888.tif 000002
【図２】
0005601888.tif 000003
【図３】
0005601888.tif 000004
【図４】
0005601888.tif 000005
【図５】
0005601888.tif 000006
【図６】
0005601888.tif 000007
【図７】
0005601888.tif 000008
【図８】
0005601888.tif 000009
【図９】
0005601888.tif 000010
【図１０】
0005601888.tif 000011
【図１１】
0005601888.tif 000012